(57)【要約】【課題】ディスクの再生産を実施することなく、かつ、書き込み可能領域の空き容量の消費を最小限に抑え、ユーザが新たな書き込み操作をすることなく、読み取り専用領域のプログラムの更新を実施することができるファイル更新システムを提供する。【解決手段】サーバ１とユーザＰＣ２がネットワーク接続され、ユーザＰＣ２は、読み取り専用領域１１と書き込み可能領域１２が存在する光ディスク１０上の読み取り専用領域に存在するファイルの更新を行うファイル更新システムであって、ユーザＰＣ２は、ネットワーク３上のサーバ１からファイルの更新部分をダウンロードする機能と、ユーザデータとダウンロードしたファイルの更新部分を光ディスク１０の書き込み可能領域１２に記録する機能を有する。【選択図】図１
2007156931.tif 000002
【特許請求の範囲】
【請求項１】
サーバとユーザＰＣとがネットワーク接続され、前記ユーザＰＣは読み取り専用領域と書き込み可能領域が存在する光ディスク上の読み取り専用領域に存在するファイルの更新を行うファイル更新システムであって、前記ユーザＰＣは、ネットワーク上の前記サーバからファイルの更新部分をダウンロードする機能と、ユーザデータとダウンロードしたファイルの更新部分を光ディスクの書き込み可能領域に記録する機能とを備えることを特徴とするファイル更新システム。
【請求項２】
読み取り専用領域と書き込み可能領域が存在する光ディスク上の読み取り専用領域に存在するファイルの更新を行うファイル更新方法であって、ネットワーク上のサーバから、ファイルの更新部分をダウンロードする第１のステップと、ユーザデータとダウンロードしたファイルの更新部分を光ディスクの書き込み可能領域に記録する第２のステップとを有することを特徴とするファイル更新方法。
【請求項３】
請求項２記載のファイル更新方法を実現するコンピュータ読み取り可能なプログラム。
【請求項４】
読み取り専用領域と書き込み可能領域が存在する光ディスクであって、請求項３に記載のプログラムが予め記録されたことを特徴とする光ディスク。
【請求項５】
サーバとユーザＰＣがネットワーク接続され、前記ユーザＰＣは、読み取り専用領域と書き込み可能領域が存在する光ディスク上の読み取り専用領域に存在するファイルの更新を行うファイル更新システムであって、前記ユーザＰＣは、光ディスク上の特定位置にファイルの更新部分が存在するか否かを確認する機能と、前記光ディスク上の特定位置にファイルの更新部分が存在する場合に、ユーザデータとファイルの更新部分を光ディスクの書き込み可能領域に記録する機能と、を備えることを特徴とするファイル更新システム。
【請求項６】
読み取り専用領域と書き込み可能領域が存在する光ディスク上の読み取り専用領域に存在するファイルの更新を行うファイル更新方法であって、光ディスク上の特定位置にファイルの更新部分が存在するか否かを確認する第１のステップと、光ディスク上の特定位置にファイルの更新部分が存在する場合に、ユーザデータとファイルの更新部分を光ディスクの書き込み可能領域に記録する第２のステップと、を有することを特徴とするファイル更新方法。
【請求項７】
請求項６記載のファイル更新方法を実現するコンピュータ読み取り可能なプログラム。
【請求項８】
読み取り専用領域と書き込み可能領域が存在する光ディスクであって、請求項７記載のプログラムが予め記録されたことを特徴とする光ディスク。
【発明の詳細な説明】
【技術分野】
【０００１】
本発明は、読み取り専用領域と書き込み可能領域が存在する光ディスク上の読み取り専用領域に存在するファイルの更新を行うファイル更新システム及びファイル更新方法に関する。
【背景技術】
【０００２】
近年、可搬型情報記録媒体の使い勝手向上のために、様々な提案がなされているが、その中の一つで、特許文献１では、読み取り専用領域と書き込み可能領域の存在する可搬型情報記録媒体による、使い勝手の向上技術が提案されている。当該特許文献１の他にも、読み取り専用領域と書き込み可能領域の存在する可搬型情報記録媒体、とりわけ光ディスクに関する技術は数多く提案されている。
【特許文献１】特開２００５−１８９１４公報
【発明の開示】
【発明が解決しようとする課題】
【０００３】
ところで、上記特許文献１に開示されているような可搬型情報記録媒体は、読み取り専用領域に予め記録されたプログラムに更新が必要になった場合、更新したプログラムを読み取り専用領域に記録した新たなディスクを生産するか、もしくは修正部分を書き込み可能領域に書き込むという手段が考えられるが、前者はユーザ環境で実施できるものではなく手軽に実施できないという欠点があった。また後者はユーザ環境での実施が可能であるが、本来使用目的ではない書き込み可能領域への書き込みによって、書き込み可能領域の空き容量を消費してしまうと言う欠点があった。また本来の使用時とは別の書き込み操作をユーザが実施しなければならないという欠点があった。
本発明は、このような背景に鑑みてなされたもので、ディスクの再生産を実施することなく、且つ、書き込み可能領域の空き容量の消費を最小限に抑え、ユーザが新たな書き込み操作をすることなく、読み取り専用領域のプログラムの更新を実施することができるファイル更新システム及びファイル更新方法を提供することを目的とする。
【課題を解決するための手段】
【０００４】
上記目的を達成するために、請求項１記載の発明は、サーバとユーザＰＣとがネットワーク接続され、前記ユーザＰＣは読み取り専用領域と書き込み可能領域が存在する光ディスク上の読み取り専用領域に存在するファイルの更新を行うファイル更新システムであって、前記ユーザＰＣは、ネットワーク上の前記サーバからファイルの更新部分をダウンロードする機能と、ユーザデータとダウンロードしたファイルの更新部分を光ディスクの書き込み可能領域に記録する機能とを備えることを特徴とする。
請求項２記載の発明は、読み取り専用領域と書き込み可能領域が存在する光ディスク上の読み取り専用領域に存在するファイルの更新を行うファイル更新方法であって、ネットワーク上のサーバから、ファイルの更新部分をダウンロードする第１のステップと、ユーザデータとダウンロードしたファイルの更新部分を光ディスクの書き込み可能領域に記録する第２のステップとを有することを特徴とする。
請求項３記載の発明は、請求項２記載のファイル更新方法を実現するコンピュータ読み取り可能なプログラムを特徴とする。
請求項４記載の発明は、読み取り専用領域と書き込み可能領域が存在する光ディスクであって、請求項３に記載のプログラムが予め記録されたことを特徴とする。
【０００５】
請求項５記載の発明は、サーバとユーザＰＣがネットワーク接続され、前記ユーザＰＣは、読み取り専用領域と書き込み可能領域が存在する光ディスク上の読み取り専用領域に存在するファイルの更新を行うファイル更新システムであって、前記ユーザＰＣは、光ディスク上の特定位置にファイルの更新部分が存在するか否かを確認する機能と、前記光ディスク上の特定位置にファイルの更新部分が存在する場合に、ユーザデータとファイルの更新部分を光ディスクの書き込み可能領域に記録する機能と、を備えることを特徴とする。
請求項６記載の発明は、読み取り専用領域と書き込み可能領域が存在する光ディスク上の読み取り専用領域に存在するファイルの更新を行うファイル更新方法であって、光ディスク上の特定位置にファイルの更新部分が存在するか否かを確認する第１のステップと、光ディスク上の特定位置にファイルの更新部分が存在する場合に、ユーザデータとファイルの更新部分を光ディスクの書き込み可能領域に記録する第２のステップと、を有することを特徴とする。
請求項７記載の発明は、請求項６記載のファイル更新方法を実現するコンピュータ読み取り可能なプログラムを特徴とする。
請求項８記載の発明は、読み取り専用領域と書き込み可能領域が存在する光ディスクであって、請求項７記載のプログラムが予め記録されたことを特徴とする光ディスクを特徴とする。
【発明の効果】
【０００６】
本発明によればユーザが意識することなく、読み取り専用領域のプログラムを更新するのでユーザの使い勝手が向上する。
【発明を実施するための最良の形態】
【０００７】
以下、本発明の実施形態を図面に従って説明する。本実施形態では図１乃至図８を参照してハイブリッドＣＤ−Ｒの読み取り専用領域に格納されたアプリケーションプログラムを更新する方法を説明する。
図１は本発明のファイル更新システムの構成図である。
サーバ１は、図２に示すハイブリッドＣＤ−Ｒの読み取り専用領域に格納されたアプリケーションの更新部分が保存されるものであり、ユーザＰＣ２は、実際にハイブリッドＣＤ−Ｒ１０を使用しているユーザのＰＣである。サーバ１とユーザＰＣ２は、既にインターネットなどで広く利用されているネットワーク３で接続されている。
図２はハイブリッドＣＤ−Ｒ（光デイスク）の読み取り専用領域と書き込み可能領域を示す図である。ハイブリッドＣＤ−Ｒ１０は、読み取り専用領域１１と書き込み可能領域１２を有する。本実施形態の場合、読み取り専用領域１１にはアプリケーションプログラムＡが格納されている。書き込み可能領域１２はアプリケーションプログラムＡのデータを記録するために使用される。
【０００８】
図３はＭｉｃｒｏｓｏｆｔ社のＷｉｎｄｏｗｓ（登録商標）オペレーティングシステム上で動作するアプリケーションプログラムＡの実行画面を示す図である。
ユーザはエクスプローラなどからハイブリッドＣＤ−Ｒ１０の書き込み可能領域１２に書き込みたいファイルを「書き込みファイルリスト」にドラッグ＆ドロップする。「書き込みファイルリスト」へのファイルの登録が終了し、「書き込み実行」ボタンを押下すると、アプリケーションプログラムＡは、「書き込みファイルリスト」に登録されたファイルを、ハイブリッドＣＤ−Ｒ１０の書き込み可能領域１２に書き込む。
図４は図３の書き込み動作を実行した後のハイブリッドＣＤ−Ｒ上のファイル構成を示す図である。
ＰｒｏｇｒａｍＡ．ｅｘｅは、読み取り専用領域１１に存在し、Ｄａｔａ１．ｔｘｔ、Ｄａｔａ２．ｔｘｔ、Ｄａｔａ３．ｔｘｔ、Ｄａｔａ４．ｔｘｔは書き込み可能領域１２に存在する。
【０００９】
［第１実施形態］
以上を踏まえた上で、本実施形態の動作を説明する。
先ず、図４の状態のハイブリッドＣＤ−Ｒ１０に対してユーザが図５に示す通り「Ｄ：￥Ｄａｔａ５．ｔｘｔ」、「Ｄ：￥Ｄａｔａ６．ｔｘｔ」をファイルリストに登録して、書き込みボタンを押した後、当該アプリケーションプログラムＡは、図６に示す動作を実行する。
まず、ステップＳ１でサーバ１にアクセスして、ステップＳ２でサーバ１上にアプリケーションプログラムＡの更新ファイル（ファイル名はＰｒｏｇｒａｍＡ．ｅｘｅ）が存在するか否かを確認する。当該更新ファイルが存在する場合は、ステップＳ３に遷移し、サーバ１の更新ファイルＰｒｏｇｒａｍＡ．ｅｘｅ、Ｄａｔａ５．ｔｘｔ、Ｄａｔａ６．ｔｘｔを書き込み可能領域１２に書き込む。この時、ＰｒｏｇｒａｍＡ．ｅｘｅは論理的な上書きとなる。
ステップＳ２においてサーバ１上に前記更新ファイルが存在しなかった場合は、Ｓ４に遷移し、Ｄａｔａ５．ｔｘｔ、Ｄａｔａ６．ｔｘｔを書き込み可能領域１２に書き込む。
当該動作を実行した後のハイブリッドＣＤ−Ｒ１０上のファイル構成は図７に示すようになるが、ステップＳ３を実行した場合は、ＰｒｏｇｒａｍＡ．ｅｘｅはサーバ１上に存在した更新ファイルであり書き込み可能領域１２に存在する。
一方、ステップＳ４を実行した場合は、ＰｒｏｇｒａｍＡ．ｅｘｅは読み取り専用領域１１に存在した既存のファイルである。
【００１０】
［第２実施形態］
次に、第２実施形態について説明する。例えば、Ｍｉｃｒｏｓｏｆｔ社のＩｎｔｅｒｎｅｔＥｘｐｌｏｒｅｒ等で、インターネット上のサーバ１からファイルをダウンロードすることは現在のＰＣユーザの操作としては一般的である。
アプリケーションプログラムＡの更新ファイルは、当該従来技術を利用して、ユーザＰＣ２上のＣ：￥ＰｒｏｇｒａｍＡ＿Ｕｐｄａｔｅフォルダ内にダウンロードされるルールになっている場合、図４の状態のハイブリッドＣＤ−Ｒ１０に対してユーザが、図５に示す通り、「Ｄ：￥Ｄａｔａ５．ｔｘｔ」、「Ｄ：￥Ｄａｔａ６．ｔｘｔ」をファイルリストに登録して、書き込みボタンを押した後に、アプリケーションプログラムＡは図８に示す動作を実行する。
【００１１】
先ず、図８に示すステップＳ１において、Ｃ：￥ＰｒｏｇｒａｍＡ＿Ｕｐｄａｔｅフォルダ内を検索する。
次に、ステップＳ２において、Ｃ：￥ＰｒｏｇｒａｍＡ＿Ｕｐｄａｔｅフォルダ内にアプリケーションププログラムＡの更新ファイル（ファイル名はＰｒｏｇｒａｍＡ．ｅｘｅ）が存在するか否かを確認する。
当該更新ファイルが存在する場合はステップＳ３に遷移し、Ｃ：￥ＰｒｏｇｒａｍＡ＿ＵｐｄＡｔｅフォルダ内のファイルＰｒｏｇｒａｍＡ．ｅｘｅ、Ｄａｔａ５．ｔｘｔ、Ｄａｔａ６．ｔｘｔを、書き込み可能領域１２に書き込む。この時、ＰｒｏｇｒａｍＡ．ｅｘｅは論理的な上書きとなる。ステップＳ２でＣ：￥ＰｒｏｇｒａｍＡ＿Ｕｐｄａｔｅフォルダ内に前記更新ファイルが存在しなかった場合は、ステップＳ８に遷移し、Ｄａｔａ５．ｔｘｔ、Ｄａｔａ６．ｔｘｔを書き込み可能領域１２に書き込む。
【００１２】
当該動作を実行した後のハイブリッドＣＤ−Ｒ１０上のファイル構成は、図７の通りであるが、ステップＳ７を実行した場合、ＰｒｏｇｒａｍＡ．ｅｘｅはＣ：￥ＰｒｏｇｒａｍＡ＿ｕｐｄａｔｅフォルダ内に存在した更新ファイルであり書き込み可能領域１２に存在する。
一方、ステップＳ８を実行した場合は、ＰｒｏｇｒａｍＡ．ｅｘｅは、読み取り専用領域１１に存在した既存のファイルである。
従って、本実施形態によれば、ユーザが意識することなく、読み取り専用領域のプログラムを更新するのでユーザの使い勝手が向上する。
特に、ＣＤ−Ｒ／ＲＷのＴｒａｃｋ Ａｔ Ｏｎｃｅ書き込み方式では、一回の書き込みに対して無条件に管理領域用（Ｌｅａｄ−Ｉｎ，Ｌｅａｄ−Ｏｕｔ）に約１０ＭＢを消費することを鑑みると、本実施形態においてはプログラムの更新のためだけの書き込みは実施しないのでプログラム更新に対する書き込み可能領域の消費を最小限に抑えることができる。
【図面の簡単な説明】
【００１３】
【図１】本発明のファイル更新システムの構成図である。
【図２】ハイブリッドＣＤ−Ｒの読み取り専用領域と書き込み可能領域を示す図である。
【図３】アプリケーションプログラムＡの実行画面を示す図である。
【図４】ハイブリッドＣＤ−Ｒ上のファイル構成を示す図である。
【図５】アプリケーションプログラムＡの実行画面を示す図である。
【図６】本発明のファイル更新方法のフローチャートである。
【図７】ハイブリッドＣＤ−Ｒ上のファイル構成を示す図である。
【図８】本発明のファイル更新方法のフローチャートである。
【符号の説明】
【００１４】
１  サーバ、２  ユーザＰＣ、３  ネットワーク、１０  ハイブリッドＣＤ−Ｒ（光ディスク）、１１  読み取り専用領域、１２  書き込み可能領域
【図１】
2007156931.tif 000003
【図２】
2007156931.tif 000004
【図３】
2007156931.tif 000005
【図４】
2007156931.tif 000006
【図５】
2007156931.tif 000007
【図６】
2007156931.tif 000008
【図７】
2007156931.tif 000009
【図８】
2007156931.tif 000010